(57)【要約】【課題】従来の温水器は、電気や燃料をかなりに消費することにより作られるエネルギ−を熱源として温水にしているので、費用もかなりかかると共に、なかには二酸化炭素や他の有害物質を大気中に放失するもある。【解決手段】本発明は、熱源を、植物（廃材、木材をチップ状にした物や枯れ草、生ごみも含む）を、酵母菌や微生物が腐食分解時の副産物として出る熱の温度は６０度前後と高温となので、その熱を利用する為に耐熱用で保温された酵母槽に熱交換器と蓋と通気口を備え、酵母槽内に植物と扱い易い酵母菌を混ぜて入れ、酵母菌の活動を促す為に最適な湿度を保つ為の水と塩化ナトリュウムを入れ、酵母菌の作用により腐食分解時に発熱を熱交換器に取り入れ、熱交換器により生成される温水器である。【選択図】図１
2007183083.tif 000002
【特許請求の範囲】
【請求項１】
本発明は、耐熱用で作られ保温された酵母槽に熱交換器と蓋と通気口を備え、酵母槽を屋外又は点検口を設け床下に置き、酵母槽の中に植物と扱い易い酵母菌とを混ぜて入れ、酵母菌の活動を促す為に最適な湿度を保つ為の塩化ナトリュウムも入れ、酵母菌の作用により植物を腐食分解時の発熱を熱交換器に取り入れ、熱交換器の一方に水道管を接続し、もう一方は流水路を介して給水末端器に接続し、水道水の水圧によって熱交換器に送水され、熱交換器で生成された温水は、流水路を介して給水末端器に送水さるといった、
熱源を酵母菌の作用により植物を腐食分解時の発熱を利用したことを特徴とする温水器。
【請求項２】
本発明は、浴室に風呂と熱交換器を備えた耐熱用の酵母風呂を設け、酵母風呂内に植物と酵母菌を混ぜて入れ、酵母菌の活動を促す為に最適な湿度を保つ為の水と塩化ナトリュウムも入れ、酵母菌の作用により植物を腐食分解時の発熱を熱交換器に取り入れ、風呂底から熱交換器に、熱交換器から風呂の側面に冷水は下がり温水は上がる水の性質を利用できる循環流水路を設け、放熱で冷水となり風呂底に下がった水は、循環流水路を介して酵母菌の発熱により温められた熱交換器に入り、熱交換器を介して生成された温水は、
循環流水路を介して風呂の側面に戻るといったことを特徴とする請求項１記載の温水器。
【請求項３】
本発明は、既設の風呂を利用する為に、酵母槽に熱交換器と蓋と通気口を備え、屋外又は点検口を設け床下に置き、酵母菌の作用により植物を腐食分解時の発熱を熱交換器に取り入れ、風呂底から熱交換器へ熱交換器から風呂の側面に、水の性質を利用できる循環流水路を設けたことを特徴とする請求項１，２記載の温水器。
【発明の詳細な説明】
【技術分野】
【０００１】  本発明は、植物が酵母菌の作用により腐食分解時の発熱を、熱源として、その熱を、熱交換器を介して生成する温水器に関する。
【背景技術】
【０００２】  従来の温水器は、図５に示すように、熱源を、電気をかなり消費することにより作られるエレルギ−によって温水にしている。
【特許文献１】  特開２００５−２２６９３８号  公報
【発明の開示】
【発明が解決しようとする課題】
【０００３】  しかしながら、以上の技術によれば、電気をかなり消費することにより作られるエレルギ−を熱源として温水にしているのや、そのほかには二酸化炭素や他の有害物質を大気中に放出するものもあり、電気代や燃料費もかなりかかる。【０００４】  そこで、この発明は、植物（廃材、木材をチップ状にした物や枯れ草や生ごみ等）を山積みにして置くと、火災になることや、寒い時は湯煙か上がります。それは酵母菌（微生物も含む）の作用により腐食分解時の発熱によるもので、温度は６０度前後と高温となりその熱を利用する為に、酵母槽に中に熱交換器と植物等を混ぜて入れ、扱い易い酵母菌と酵母菌の活動を促す為に最適な湿度を保つ為の水と塩化ナトリュウムと酸素を取り入れる通気口を備え、熱源を、腐食分解時の発熱を熱交換器に取り入れ、熱交換器を介して生成された温水を利用する為に、維持費の安い温水器を提供することを課題とする。
【課題を解決するための手段】
【０００５】  以上の課題を解決するために、請求項１にかかる発明は、耐熱用で作られ保温された酵母槽に熱交換器と蓋と通気口を備え、酵母槽を屋外又は点検口を設け床下に置き、酵母槽の中に植物と扱い易い酵母菌とを混ぜて入れ、酵母菌の活動を促す為に最適な湿度を保つ為の水と塩化ナトリュウムも入れ、酵母菌の作用により植物を腐食分解時の発熱を熱交換器に取り入れ、熱交換器の一方に水道管を接続し、もう一方は流水路を介して給水末端器に接続し、水道水の水圧によって熱交換器に送水され、熱交換器で生成された温水は、流水路を介して給水末端器に送水されるといった、熱源を酵母菌の作用により植物を腐食分解時の発熱を利用したことを特徴とする温水器。【０００６】  また、請求項２にかかる発明は、浴室に風呂と熱交換器を備えた耐熱用の酵母風呂を設け、酵母風呂内に植物と酵母菌とを混ぜて入れ、酵母菌の活動を促す為に最適な湿度を保つ為の水と塩化ナトリュウムも入れ、酵母菌の作用により植物を腐食分解時の発熱を熱交換器に取り入れ、風呂底から熱交換器に、熱交換器から風呂の側面に冷水は下がり温水は上がる水の性質を利用できる循環流水路を設け、放熱で冷水となり風呂底に下がった水は、循環流水路を介して酵母菌の発熱により温められた熱交換器に入り、
熱交換器を介して生成された温水は、循環流水路を介して風呂の側面に戻るといったことことを特徴とする温水器。【０００７】  また、請求項３にかかる発明は、既設の風呂を利用する為に、酵母槽に熱交換器と蓋と通気口を備え、屋外又は点検口を設け床下に置き、酵母菌の作用により植物を腐食分解時の発熱を熱交換器に取り入れ、風呂底から熱交換器へ熱交換器から風呂の側面に、水の性質を利用できる循環流水路を設たことを特徴とする請求項１、２記載の温水器。
【発明の効果】
【０００８】  本発明は、植物（廃材、木材をチップ状にした物や、枯れ草や生ごみを含む）を、山積それは自然界にある酵母菌（微生物も含む）と酵母菌の活動に最適な湿度があり、酵母菌の作用により植物が腐食分解する時の副産物として出る熱のためです。
温度は６０度前後と高温になりその熱を、熱源として熱交換器に取り入れ、熱交換器により生成された温水を利用するもので、原料は廃材や家庭から出る生ごみ（臭いは一度乾燥すると出にくい）も使用でき、使用後は肥料となり、後に土となり、地球温暖化となっている二酸化炭素や有害物質の発生もおさえ、生ごみを減らせる効果もある温水器である。【０００９】  以上のように、熱源を、酵母菌の作用により植物が腐食分解する時の副産物として出る熱を利用するので、限りある資源を節約できるとともに、使用者の失費も軽減できる。【００１０】  また、請求項２では、浴室は酵母風呂の放熱で暖房効果がえられ、酵母風呂も使用できる。
【発明の実施するための最良の形態】
【００１１】  以下、本発明の実施の形態を図１から図３に基づいて説明する。
【００１２】  図１は、耐熱用で作られ保温された酵母槽１に熱交換器３と蓋８と通気口５を備え、屋外又は点検口を設けた床下に酵母槽１を置き、酵母槽１の中に植物２と酵母菌２Ａと、酵母菌２Ａの活動を促す為に最適な湿度を保つ為の水と塩化ナトリュウムも入れ、酵母菌２Ａの作用により植物２を腐食分解する時の副産物として出る熱を熱交換器３に取り入れ、熱交換器３の一方の接続口３Ａに水道管９を接続し、もう一方は熱交換器３の接続口３Ｂに流水路６を介して給水末端器７に接続し、
水道管９の水圧によって熱交換器３に送水され、温められた熱交換器３で生成され温水となって、流水路６を介して給水末端器７を開放すると温水が送水される温水器である。
【００１３】  図２は、浴室に風呂１０と、酵母風呂１１と、酵母風呂１１の内部に熱交換器３を設け、酵母風呂１１に植物２と酵母菌２Ａと、酵母菌２Ａの活動を促す為に最適な湿度を保つ為の水と塩化ナトリュウムを入れ、酵母風呂１１内で酵母菌２Ａの作用により植物２を腐食分解する時に出る熱を熱交換器３に取り入れ、冷水は下がり温水は上がる水の性質で循環できる循環流水路を構成として、風呂水１２の放熱により冷えた冷水は、風呂１０の底に集まり接続口１３から循環流水路１４を介して熱交換器３の接続口３Ａに、接続口３Ａから熱交換器３へと流れ、
腐食分解時の発熱によって温められた熱交換器３で生成され温水となり、接続口３Ｂに接続された循環流水路１５を介して風呂１０の側面の接続口１６により風呂１０に戻るといったことと、酵母風呂１１も使用でき、酵母風呂１１の放熱で暖房もできる温水器である。
【００１４】  図３では、既設の風呂１０を利用し、酵母槽１に熱交換器３と蓋４と通気口５を備え、屋外又は点検口を設け床下に置き、酵母槽１の中に植物２と酵母菌２Ａとを混ぜて入れ、酵母菌２Ａの活動を促す為に最適な湿度を保つ為の水と塩化ナトリュウムも入れ、酵母菌２Ａの作用により植物２を腐食分解時の発熱を熱交換器３に取り入れ、風呂１０底の接続口１３から循環流水路１４を熱交換器３の接続口３Ａに、熱交換器３の接続口３Ｂから循環流水路１５を風呂１０の側面接続口１６に、水の性質で循環できる構成とし、
熱交換器３により生成された温水は循環流水路１５を介して風呂１０の側面１６に、風呂水１２の放熱により冷水となった水は、１３から循環流水路１４を介して、
熱交換器３の３Ａに入るといったことを特徴とする請求項１、２記載の温水器。
【００１５】  「実施形態の効果」
この実施形態によれば、熱源を、酵母菌２Ａが植物２を腐食分解する時の副産物として出る熱を利用する為に、使用者の失費を軽減できることで、構造を少し変えることにより、温水暖房器や空気暖房器やその他といったように、温めるものであれば多目的に利用しやすい。
【００１６】  「他の実施形態」
図１から図４の実施形態では、熱交換器がＵ字状になっているが、他の実施形態では、熱交換器の形状には拘らず、それぞれの用途におおじた最適な形状、例えば螺旋状や渦状でも良い。
【００１７】  図１から図４の実施形態では、酵母菌となっているが、他の実施形態では、その他の微生物でも良い。
【００１８】  図２や図３の実施形態では、風呂水を温水にしているが、他の実施形態では、受水層でも良い。
【００１９】  図１から図４の実施形態では、腐食分解時の発熱で温水にしているが、他の実施形態では、他の熱源機と併用しても良い。
【００２０】  図２の実施形態では、冷水は下がり、温水は上がる水の性質で循環させた温水器だが、他の実施形態では、図４に示すように酵母槽１の中に熱交換器３と、より効率良く熱を得るためにもう１つの熱交換器１８と蓋４と通気口５を備え、水の性質で循環させる温水暖房器１７と切り替えて、使用者が制御できる制御部２５を備え、
熱交換器３に分岐管２１を設け、一方は電磁開閉弁２０に、電磁開閉弁２０から熱交換器３に、一方には循環ポンプ１９を設けて熱交換器１８に、熱交換器１８の一方は熱交換器３の合流管２２に連結させるとともに、熱交換器３の３Ｂから循環流水路２４を温水暖房末端器１７に温水暖房末端器１７から循環流水路２３を熱交換器３の３Ｂに連結させ、使用者が制御すると電磁開閉弁２０が閉じ循環ポンプ１９が作動し、より良い暖房効果が得られ、制御停止にすると循環ポンプ１９が止まると電磁開閉弁２０は開放となり、
水の性質で循環させる温水暖房器１７となる、どちらか一方が絶え間なく暖房する温水暖房器でも良い。
【図面の簡単な説明】
【００２１】
【図１】  本発明の実施形態を示す温水器の斜面図
【図２】  酵母風呂を利用した温水器の斜面図
【図３】  温水器の斜面図
【図４】  温水暖房器を模式的に示す図
【図５】  模式的に示す図
【符号の説明】
【００２２】１−酵母槽、２−植物（廃材や木をチップ状にした物や枯れ草や生ごみを含む）  ２Ａ−酵母菌、微生物  ３−熱交換器  ３Ａ，３Ｂ，−熱交換器接続口  ４−蓋  ５−通気口  ６−流水路、７−給水末端器、９−水道管、１０−風呂、１１−酵母風呂、１２−風呂水、１３，１６−接続口、１４，１５，２３，２４−循環流水路、１７−温水暖房末端器、１７Ａ，１７Ｂ−末端器接続口  １８−熱交換器、１９、循環ポンプ、２０−電磁開閉弁、２１−分岐管、２２−合流管、２５−制御部
【図１】
2007183083.tif 000003
【図２】
2007183083.tif 000004
【図３】
2007183083.tif 000005
【図４】
2007183083.tif 000006
【図５】
2007183083.tif 000007